(57)【要約】【課題】非冷却運転時に、モータ等の動力を用いない方法でチルド室への冷気の流入を抑制し、温度変動を小さくすることで食品保存性能が優れたチルド室を備えた冷蔵庫を提供する。【解決手段】実施形態に係る冷蔵庫は、貯蔵室と、前記貯蔵室に冷気を送風するファンと、前記貯蔵室に配置された風量調節手段と、を備えている。前記風量調節手段は前記ファンによる送風の風力で開状態となり、前記ファンの送風停止により閉状態となるように構成されている。【選択図】図５
2017138087.tif 000002
【特許請求の範囲】
【請求項１】
貯蔵室と、
前記貯蔵室に冷気を送風するファンと、
前記貯蔵室に配置された風量調節手段と、を備え、
前記風量調節手段は前記ファンによる送風の風力で開状態となり、前記ファンの送風停止により閉状態となるように構成された冷蔵庫。
【請求項２】
前記貯蔵室に冷気を導入する風路を備え、
前記風量調節手段は、前記風路であって、前記ファンの上流側に配置されている請求項１に記載の冷蔵庫。
【請求項３】
前記貯蔵室に冷気を導入する風路を備え、
前記風量調節手段は、前記風路であって、前記ファンの下流側に配置されている請求項１に記載の冷蔵庫。
【請求項４】
前記ファンは前記風量調節手段に対向する位置に配置されている請求項１から３のいずれか一項に記載の冷蔵庫。
【請求項５】
更に、前記風路に窓部が備えられ、
前記風量調節手段は、複数のフィンを備えて構成されており、前記フィンは前記窓部を開閉可能に構成された開閉機構である請求項２から４のいずれか一項に記載の冷蔵庫。
【請求項６】
前記ファンの回転数を変えることで前記フィンの開閉角度を調整することができる請求項５に記載の冷蔵庫。
【請求項７】
前記フィンは、前記窓部を開放する羽部と、前記羽部を回動させる軸部とで構成され、前記軸部は前記窓部に回転自在に取り付けられている請求項５又は６に記載の冷蔵庫。
【請求項８】
前記中央軸部は切欠き部を備えている請求項７に記載の冷蔵庫。
【請求項９】
前記フィンの縦断面において、前記中央軸部は、前記羽部が接続された部分に対向する側が弦となる半円形を呈しており、前記羽部は、前記中央軸部の円弧部の外周の接線となるように前記中央軸部に接続する請求項７又は８に記載の冷蔵庫。
【請求項１０】
前記フィンは、前記ファンにより生成される冷気の流れの下流側方向に回動可能であり、前記ファンにより生成される冷気の流れの上流側方向には回動できない請求項５から９のいずれか一項に記載の冷蔵庫。
【請求項１１】
貯蔵室と、
冷却器室と、
前記貯蔵室内に配置された室部と、
前記冷却器室に配置され、冷気を生成する冷却器と、
前記冷却器により生成された冷気を前記室部内に送風するファンと、
前記冷却器室と前記室部との間の風路に位置する風量調節手段と、を備え、
前記風量調節手段は前記ファンによる送風の風力で開状態となり、前記ファンの送風停止により閉状態となるように構成された冷蔵庫。
【請求項１２】
前記貯蔵室内に配置された第１の室部と、
前記第１の室部とは温度帯が異なる第２の室部と、
前記第１の室部と、前記第２の室部に風路を介して接続する冷却器室と、
前記冷却器室に配置され、冷気を生成する冷却器と、を備え、
前記ファンを第１のファンとした場合に、第１のファンは、前記冷却器により生成された冷気を前記第１の室部に送風するものであり、
前記風量調整手段は、前記冷却器室と前記第１の室部との間を接続する風路に配置されており、
さらに、前記冷却器によって生成された冷気を、前記冷却器室から前記第２の室部に送風するための第２のファンを備えており、
前記第１のファンが停止した場合に、前記第２のファンの運転により前記冷却器室内の冷気が流出されることにより、前記フィンが前記窓部に引き寄せられ、これによって、前記窓部が密閉されるように構成された請求項５から１０のいずれか一項に記載の冷蔵庫。
【請求項１３】
前記窓部は、傾斜して設けられる窓枠により構成されており、
前記フィンが前記窓部を閉鎖している場合には、前記フィンは前記窓枠に蓋をするように傾斜して設けられる請求項５から１０、及び１２のいずれか一項に記載の冷蔵庫。
【請求項１４】
更に、前記貯蔵室に配置され、食品を貯蔵する貯蔵容器と、
前記貯蔵容器に冷気を導入する風路と、を備え、
前記風量調節手段は前記風路に配置され、
前記風量調節手段は前記ファンによる送風の風力で開状態となり、前記ファンの送風停止により閉状態となるように構成され、
前記風量調節手段は前記ファンと離間しており、
前記風路は前記貯蔵容器を含む請求項１に記載の冷蔵庫。
【請求項１５】
前記貯蔵容器は、前記風量調整手段が設けられる第１壁を備える請求項１４に記載の冷蔵庫。
【請求項１６】
前記貯蔵容器には、前記ファンにより送風された空気を導入する入口を備える第２壁を備え、前記第１壁は前記第１壁とは異なる請求項１４又は１５に記載の冷蔵庫。
【請求項１７】
前記貯蔵容器の前面に位置する扉と、
前記貯蔵容器に設けられ、前記風量調節手段に連結する開口部と、を備え、
前記扉の裏面と、前記風量調節手段とは離間している請求項１４から１６のいずれか一項に記載の冷蔵庫。
【請求項１８】
前記風量調節手段は前記貯蔵容器の上側に設置されている請求項１４から１７のいずれか一項に記載の冷蔵庫。
【請求項１９】
前記風量調節手段は、複数のフィンを備えて構成されており、前記フィンは前記窓部を開閉可能に構成された開閉機構であり、
前記風量調節手段の前記フィンの上方に配置される上側リブの上面の位置を、前記フィンの両側の軸部の中心の位置とした請求項１４から１８に記載の冷蔵庫。
【請求項２０】
前記風路に設けられた窓部と、
前記風量調節手段に備えられた複数のフィンと、
を備えて構成されており、前記窓部を開閉可能に構成された開閉機構である前記フィンと、を備えており、
前記窓部の全周囲にリブが設けられている請求項１４から１９のいずれか一項に記載の冷蔵庫。
【請求項２１】
前記リブは、前記ファンによる送風の上流側に向かって尖る突起部を備える請求項１４から２０のいずれか一項に記載の冷蔵庫。
【請求項２２】
前記風路の開閉を行うダンパを備えており、
前記ダンパは、前記風量調節手段から見て、空気の流れの上流側に配置されている請求項１４から２１のいずれか一項に記載の冷蔵庫。
【請求項２３】
前記貯蔵室は、前記ファンによる送風を前記貯蔵室に導入する通風口を備え、
前記通風口と前記風量調節手段は対向する位置からずれて配置されている請求項１４から２２のいずれか一項に記載の冷蔵庫。
【発明の詳細な説明】
【技術分野】
【０００１】
本発明の実施形態は、冷蔵庫に関する。
【背景技術】
【０００２】
従来、冷蔵庫において、冷蔵室内の冷却は、冷蔵用冷却器を通過した冷気を冷蔵室ファンで冷蔵室内に送風することにより行われている。
しかし、この方式では、例えば除湿運転のように冷却運転を行っていない場合に、比較的温度が高い冷気がファンの開口部を通って当該冷蔵室に流入し、温度を上昇させてしまうことがあった。
【先行技術文献】
【特許文献】
【０００３】
【特許文献１】特開平７−３０５９３６号公報
【発明の概要】
【発明が解決しようとする課題】
【０００４】
そこで、非冷却運転時に、モータ等の動力を用いない方法で冷蔵室内への冷気の流入を抑制し、温度変動を小さくすることができる冷蔵庫を提供する。
【課題を解決するための手段】
【０００５】
実施形態に係る冷蔵庫は、貯蔵室と、前記貯蔵室に冷気を送風するファンと、前記貯蔵室に配置された風量調節手段と、を備えている。前記風量調節手段は前記ファンによる送風の風力で開状態となり、前記ファンの送風停止により閉状態となるように構成されている。
【図面の簡単な説明】
【０００６】
【図１】第１実施形態に係る冷蔵庫を示す正面図
【図２】冷蔵庫の側方縦断面図
【図３】冷蔵庫の両開き扉を外した状態を示す正面図
【図４】図３のＡ−Ａ線における矢視透視図
【図５】図４のＢ−Ｂ線における矢視透視図
【図６】図４のＣ−Ｃ線において手前から奥方向に風量調節手段を臨む矢視図
【図７】風量調節手段の構成を示す図であり、（ａ）は上面図、（ｂ）は正面図
【図８】風量調節手段の構成を示す図であり、（ａ）は図７（ｂ）の矢印Ｅから風量調節手段を臨む側面図、（ｂ）は図７（ｂ）のＤ−Ｄ線に沿った部分の縦断面矢視図
【図９】フィンの構成を示す図であり、（ａ）は上面図、（ｂ）は正面図
【図１０】（ａ）は図９（ｂ）の矢印Ｅから風量調節手段を臨む側面図、（ｂ）は図９のＤ−Ｄ線に沿う部分における縦断面矢視図
【図１１】フィンの構成を示す図であり、（ａ）は上面図、（ｂ）は正面図
【図１２】（ａ）フィンとリブの側面図、（ｂ）は図１１（ｂ）のＦ−Ｆ線に沿う部分における縦断面図、（ｃ）は図１１（ｂ）のＧ−Ｇ線に沿う部分における縦断面図
【図１３】第２実施形態に係る風量調節手段に適用したフィンの構成を示す図
【図１４】第３実施形態に係る冷蔵庫を示す正面図
【図１５】第３実施形態に係る温度可変室の構成を示す図であり、（ａ）は上方からの模式図、（ｂ）は温度可変室奥側の通風口を正面から臨む模式図、（ｃ）は（ａ）のＫ−Ｋ線における温度可変室の側断面図
【図１６】第３実施形態に係る温度可変室の構成を示す図であり、（ａ）は上方からの模式図、（ｂ）は温度可変室奥側の通風口を正面から臨む模式図、（ｃ）は（ａ）のＬ−Ｌ線における温度可変室の側断面図
【図１７】温度可変室に収納されるケースの構成を示す図であり、（ａ）はケースを温度可変室に収納した状態を示す図、（ｂ）はケースを温度可変室から引き出した状態を示す図、（ｃ）はケースの正面図
【図１８】（ａ）は風量調節手段の上面図、（ｂ）は正面図
【図１９】（ａ）は、図１８（ｂ）の矢印Ｐから風量調節手段を臨む側面図、（ｂ）は図１８（ｂ）のＭ−Ｍ線に沿った部分の縦断面矢視図
【図２０】フィンの概略構成を示す図であり、（ａ）は上面図、（ｂ）は正面図、（ｃ）は（ｂ）のＮ−Ｎ線における縦断面図
【図２１】（ａ）は図１６（ａ）のＬ−Ｌ線における温度可変室の側断面図に相当する図、（ｂ）は図２１（ａ）の矢印Ｒ方向すなわち正面方向から見た正面図
【図２２】第５実施形態に係る温度可変室の構成を示す図であり、（ａ）は図１５（ａ）のＫ−Ｋ線における温度可変室の側断面図に相当する図、（ｂ）は図１６（ａ）のＬ−Ｌ線における温度可変室の側断面図に相当する図
【発明を実施するための形態】
【０００７】
以下、複数の実施形態による冷蔵庫を、図面を参照しながら説明する。なお、各実施形態において実質的に同一の構成部位には同一の符号を付し、説明を省略する。
（第１実施形態）
第１実施形態について図１から図１２を参照して説明する。
【０００８】
図１から図１２は、第１実施形態に係る冷蔵庫１の概略構成を示す図である。冷蔵庫１の扉３ａ及び３ｂ側を前、手前又は正面とし、その反対方向を後ろ、奥又は裏面とする。図１は、冷蔵庫１の正面図である。図２は、冷蔵庫１の側方縦断面図である。図３は、冷蔵庫１の両開き扉を外した状態を示す正面図である。図４は、図３のＡ−Ａ線における矢視透視図である。図５は、図４のＢ−Ｂ線における冷蔵庫１の矢視透視図である。図６は、図４のＣ−Ｃ線において手前から奥方向に風量調節手段５０を臨む矢視図である。
【０００９】
図１に示すように、冷蔵庫１は縦長のキャビネット２により構成されている。キャビネット２は、外箱と内箱より構成され、その間に断熱材が充填された断熱箱体である。図２及び図３に示すように、キャビネット２の内部には、上部から順に、食品貯蔵のための貯蔵室である冷蔵室３、野菜室４、製氷室５、上部冷凍室６、下部冷凍室７が設けられている。各室３〜７は、前面にそれぞれ開口部を備えている。
【００１０】
冷蔵室３の開口部は、いわゆる観音開き式の左扉３ａおよび右扉３ｂによって開閉される。左扉３ａは、その左端部の上下部においてヒンジ３ｃによって回動可能に枢支されている。右扉３ｂは、その右端部の上下部においてヒンジ３ｄによって回動可能に枢支されている。
【００１１】
野菜室４、製氷室５、上部冷凍室６、及び下部冷凍室７は、引き出し式の扉４ａ，５ａ，６ａ，７ａによって開閉されるように構成されている。製氷室５と上部冷凍室６は、図において左右方向に並列して配置されており、それぞれに独立して設けられた扉５ａ及び扉６ａによって開閉されるように構成されている。扉５ａ及び扉６ａは、室内が完全に独立しているわけではなく、製氷室５と上部冷凍室６との間では冷気が自由に行き来できるように構成されている。
【００１２】
図２及び図５に示すように、冷蔵室３の下方背面には冷蔵用冷却器室１１ａが設けられており、冷却器室１１ａには冷蔵用冷却器１１と冷蔵室用冷却ファン１２が配置されている。冷蔵用冷却器１１は、冷蔵室３と野菜室４を冷却する冷気を生成する。冷蔵用冷却器１１で生成される冷気の温度は、例えば−２０℃程度である。冷蔵室用冷却ファン１２が運転されると、冷蔵用冷却器１１による熱交換で生成された冷気は、送風ダクト１３を通して複数の吹出口１４から冷蔵室３内に供給される。冷蔵用冷却器１１で生成された冷気は、野菜室４にも供給される。冷蔵室用冷却ファン１２はチルド室１７とは別の冷蔵室３または野菜室４等の室部に冷気を流入させるためのファンである。
【００１３】
冷蔵用冷却器１１の下方には、冷蔵用冷却器１１のカバー部１０が設置され、冷蔵用冷却器１１の下側を覆っている。カバー部１０内には、排水口９が配置されている。冷蔵用冷却器１１で発生した霜は、図示しない除霜ヒータで融解され、除霜水が生成する。排水口９は、除霜水を外部の蒸発皿に排出する経路となる。
【００１４】
冷蔵室３内の最下段には、チルド室１７が配置されている。冷蔵用冷却器１１で生成される冷気は、チルド室１７用としても供給される。チルド室１７は、ヨーグルト、生クリームなどの発酵食品、生鮮食品、練り製品、乳製品などの食品を、できるだけ低温で凍らない温度、例えば０℃〜１℃の温度で保存する。
【００１５】
図２に示すように、製氷室５、上部冷凍室６及び下部冷凍室７の背面の部屋には冷凍用冷却器１５と冷凍室用冷却ファン１６が配置されている。冷凍用冷却器１５は、製氷室５、上部冷凍室６及び下部冷凍室７を冷凍するための冷気を生成する。冷凍用冷却器１５で熱交換を行うことにより生成される冷気温度は、例えば−４０℃程度である。冷凍室用冷却ファン１６を運転すると、冷凍用冷却器１５で生成された冷気は、製氷室５、上部冷凍室６および下部冷凍室７の各室に送られ、これら各室内を冷凍可能温度に制御する。
【００１６】
図２に示すように、冷蔵室３の右扉３ｂには、複数段のドアポケット３ｅが設けられている。左扉３ａには、複数段の図示しないドアポケットが設けられている。また、冷蔵室３内には、例えばガラス等の透明性材料で形成されている複数段の棚板３ｆが設けられている。チルド室１７の上面には、温度の異なる冷蔵室３との断熱機能および棚板３ｆと同機能を備えたチルド室天井板３ｇが設置されている。
【００１７】
図１に示すように、右扉３ｂの表面には、タッチパネル８が設けられている。このタッチパネル８は、表示部８ａと操作部８ｂの機能を備えている。操作部８ｂは、冷蔵室温度、冷凍室温度、チルド室温度等の設定を行うことができる。冷蔵室３の設定温度の変更は、タッチパネル８の［冷蔵室］の表示をタッチすることにより行う。操作部８ｂの上下スイッチを操作することにより、所望の温度に設定することができる。
【００１８】
下部冷凍室７やチルド室１７の設定温度は、同様のタッチパネル８操作により変更することができる。タッチパネル８のスイッチとしては、使用者が指で触れることによる静電容量の変化を検出する静電容量方式や、使用者が指で触れることによる電気抵抗の変化を検出する抵抗膜方式等を用いることができる。
【００１９】
図３に示すように、冷蔵室３と野菜室４の間には、これらを横方向に仕切り、空間を上下に分割する上部仕切部２０が配置されている。野菜室４と製氷室５、上部冷凍室６の間には、これらを横方向に仕切る中部仕切部２１が配置されている。製氷室５、上部冷凍室６と下部冷凍室７の間には、これらを横方向に仕切る下部仕切部２２が配置されている。製氷室５と上部冷凍室６の間には、これらを縦方向に仕切り、空間を横方向に分割する縦仕切部２３が配置されている。
【００２０】
図２に示すように、キャビネット２の下端部背面側には、機械室２４が設けられている。機械室２４内には、冷媒ガスを圧縮するコンプレッサ２５および図示しない高圧の冷媒ガスを液化させる凝縮器、それらを冷却するための冷却ファンなどが配置されている。
【００２１】
図５に示すように、チルド室用ファン２６は、チルド室１７と冷蔵用冷却器１１を仕切る仕切板２８に設けられた通気孔２９に設けられている。チルド室用ファン２６はその前面が仕切板２８に裏面に対して略面一となるように設けられている。冷却器室１１ａとチルド室１７を結ぶ風路であって、仕切板２８の前面、すなわちチルド室１７側の通気孔２９には、冷気の風量調節手段５０が設けられている。
【００２２】
冷却器室１１ａとチルド室１７は異なる温度帯の室部である。チルド室用ファン２６は冷蔵用冷却器１１で生成した冷気をチルド室１７に流入させるためのものである。チルド室用ファン２６は必ずしもファンである必要はなく、冷蔵用冷却器１１で生成された冷気をチルド室１７に送風可能な送風手段であれば良い。
【００２３】
風量調節手段５０としては、例えば図７から図１２に示すような開閉機構であるシャッタ機構が用いられる。風量調節手段５０は、前記風路の、チルド室用ファン２６の上流側、又は下流側に配置することができる。本実施形態においては風量調節手段５０としてシャッタ機構を用いた例を例示して説明する。図においては、風量調節手段５０はチルド室用ファン２６の下流側に配置された例を例示している。この時、後述する窓部５８はチルド室用ファン２６の下流側、すなわち、冷却器室１１ａから見てチルド室１７側に配置される。チルド室１７は、例えば密閉空間として構成されている。
【００２４】
風量調節手段５０はチルド室用ファン２６に対向する位置に近接して設けられている。仕切板２８は、冷蔵用冷却器１１で生成された冷気が、通気孔２９を介してチルド室１７に流れる風路を確保し、通気孔２９以外の部分では冷気が流れる風路を遮蔽する。上記風路は、図示しないダクト部材により構成するようにしても良い。風量調節手段５０の構成については後述する。
【００２５】
チルド室１７には、熱伝導性の高い材料として例えばアルミニウム製の箱状のチルドケース１７ａが設置されている。冷蔵用冷却器１１により生成された冷気は、チルド室１７の背面に設置されたチルド室用ファン２６により、冷却器室１１ａとチルド室１７を結ぶ風路を介してチルドケース１７ａに向けて送風される。
【００２６】
送風された冷気は、その風力により風量調節手段５０を開放してこれを通過し、チルド室１７の背面に当たり、これによりチルド室１７の室内が冷却される。また、送風された冷気を、チルド室１７内に導入し、チルド室１７の室内を直接冷却するようにしても良い。
【００２７】
図４及び図５に示すように、チルド室１７は、チルド室天井板３ｇ、左側面板３０、キャビネット２の側面板２ａ、及び上部仕切部２０による囲みで構成されている。チルド室天井板３ｇおよび左側面板３０は、冷蔵室３に面して配置されている。側面板２ａは、キャビネット２の右側面板を兼ねて構成されている。
【００２８】
チルド室１７内に収納されたチルドケース１７ａは、前面に開口１７ｂが開けられている。チルドケース１７ａの開口１７ｂには、例えば樹脂製で形成された容器１７ｃが前後に出し入れ自由に配置される。容器１７ｃは、扉カバー１７ｄと一体的に構成され、引出し式の扉を構成する。扉カバー１７ｄには取手１７ｈが一体的に形成されている。
【００２９】
扉カバー１７ｄには、空気層を備えた扉パネル１７ｅが設けられている。扉パネル１７ｅは、チルドケース１７ａの開口１７ｂよりやや広い大きさで形成されている。扉カバー１７ｄと扉パネル１７ｅはチルド室１７に対して二重構造となることにより断熱効果が向上し、ひいては省エネに寄与する。
【００３０】
扉パネル１７ｅの外周には、さらにパッキン１７ｆが設けられている。パッキン１７ｆは、扉カバー１７ｄを閉めたときに、チルドケース１７ａの開口１７ｂ端面に対し、やや圧接状態で接触する。
【００３１】
扉パネル１７ｅの幅方向両端の直交する方向には、係止部１９が一体的に形成されている。係止部１９は、先端に近づくに従い漸次幅が狭くなる第１傾斜部１９ａと、先端近傍で先端よりやや幅を広くして形成される第２傾斜部１９ｂを備えている。
【００３２】
キャッチャー３１は、チルドケース１７ａの両外側面にそれぞれ設けられている。キャッチャー３１は例えば樹脂により形成されている。キャッチャー３１は、パッキン１７ｆと開口１７ｂ端面を圧接状態で係止部１９を係止する機能を有する。図６に示すように、仕切板２８には通気孔２９が設けられており、風量調節手段５０は通気孔２９に対向して、略間隔なくこれを塞ぐように近接して設けられている。
【００３３】
図７（ａ）及び（ｂ）、図８（ａ）及び（ｂ）は風量調節手段５０の構成を示す図であり、チルド室用ファン２６の駆動が停止され、風量調節手段５０が閉鎖した状態、すなわち非冷却運転時の状態を示す図である。図７（ａ）は、風量調節手段５０の上面図、図７（ｂ）は正面図、図８（ａ）は、図７（ｂ）の矢印Ｅから風量調節手段５０を臨む側面図、図８（ｂ）は図７（ｂ）のＤ−Ｄ線に沿った部分の縦断面矢視図である。
【００３４】
図９（ａ）及び（ｂ）、図１０（ａ）及び（ｂ）は、風量調節手段５０の構成を示す図であり、チルド室用ファン２６の駆動により生成した空気の流れにより、フィン５１が押し上げられ風量調節手段５０が開放した状態を示す図である。図９（ａ）はこの状態のフィン５１の上面図、図９（ｂ）は正面図、図１０（ａ）は図９（ｂ）の矢印Ｅから風量調節手段５０を臨む側面図、図１０（ｂ）は図９のＤ−Ｄ線に沿う部分における縦断面矢視図を示す。図１１（ａ）と（ｂ）、及び図１２（ａ）から（ｄ）はフィン５１の構成を示す図であり、図１１（ａ）は上面図、図１１（ｂ）は正面図である。図１２はフィン５１とリブ５６に着目して示す図であり、図１２（ａ）は側面図、図１２（ｂ）は図１１（ｂ）のＦ−Ｆ線に沿う部分における縦断面図である。図１２（ｃ）は図１１（ｂ）のＧ−Ｇ線に沿う部分における縦断面図である。図１２（ｃ）においては、軸部５１ａのみの断面を示し、ベース５４、リブ５６、リブ側面５７などは省略している。図１２（ｄ）は、図１２（ｂ）において、フィン５１が開放状態となった様子を示す図である。
【００３５】
図７から図１１に示すように、風量調節手段５０は、ベース５４及びフィン５１を有している。フィン５１は軸部５１ａ、中央軸部５１ｂ及び羽部５１ｃを備えている。軸部５１ａは中央軸部５１ｂの両端に位置し、軸部５１ａ及び中央軸部５１ｂは直線状に一体的に延在して構成されている。羽部５１ｃは、矩形形状の板状の部材であり、長辺の一方に軸部５１ａ及び中央軸部５１ｂを備えて構成されている。
【００３６】
中央軸部５１ｂは、羽部５１ｃの被取付部である。軸部５１ａはベース５４に設けられた軸取付溝５５に設置される。軸取付溝５５は、軸部５１ａを回転自在に支持する支持部である。フィン５１はネジ５３によりねじ止めされた固定具５２により、軸取付溝５５にはめ込まれ、わずかな風力でも開閉が可能となるようにわずかな風力で回動自在に取り付けられている。
【００３７】
ベース５４は、複数の軸取付溝５５、複数のリブ５６及び複数のリブ側面５７を備えている。フィン５１は軸部５１ａを回転軸として回転可能に構成される。軸部５１ａはベース５４の軸取付溝５５により回転自在に支持される被支持部である。
【００３８】
リブ５６は、ベース５４の左右を連結する骨組みであり、手前である前後方向に水平に突出している。リブ５６の側面にはリブ５６に一体的に上下方向に向かってリブ側面５７が設けられており、図８（ａ）及び（ｂ）、図１０（ａ）及び（ｂ）に示すように、側面方向から看取すると前側の片側が順テーパ型に構成され、斜め部５７ａを構成している。リブ５６及び斜め部５７ａにより形成される略矩形枠形状の窓枠により窓部５８が構成されている。
【００３９】
斜め部５７ａの反対側は、ベース５４に一体的に接続している。斜め部５７ａの角度は、垂直方向に対して例えば約１０度程度傾斜して構成されている。フィン５１は、リブ５６、斜め部５７ａにより構成される窓部５８に傾斜して載置されるように設けられる、風量調節手段５０が閉状態の場合は、フィン５１は約１０度程度傾斜して窓部５８を閉鎖している。
【００４０】
ベース５４の、リブ５６、リブ側面５７及び斜め部５７ａに囲まれた中央部は窓部５８になっている。チルド室用ファン２６が停止し窓部５８がフィン５１により閉じられた状態においては、フィン５１はその自重によりリブ５６及びリブ側面５７の斜め部５７ａに接するように存在し、窓部５８を閉鎖している。これにより、冷気の漏れを抑制することにより、チルド室１７から冷却器室１１ａへの冷気の逆流を抑制している。
【００４１】
また、チルド室用ファン２６が停止した際には、冷蔵室用冷却ファン１２により冷却器室１１ａ側に負圧がかかり、フィン５１は、ベース５４側、すなわち、リブ５６及びリブ側面５７の斜め部５７ａに付勢される方向に引き寄せされる。これにより、窓部５８はより強く密閉され、窓部５８がシールされることになり、チルド室１７から冷却器室１１ａへの冷気の漏れ、すなわち逆流をより効率的に抑制することができる。
【００４２】
この作用を可能にするため、フィン５１は軽い材料を用いて構成されている。フィン５１は送風ダクト１３などとは異なる材料により形成されており、送風ダクト１３よりも比重が軽い材料により形成されている。フィン５１の材料としては、例えば、ＡＢＳ（アクリロニトリル・ブタジエン・スチレン樹脂）、ＰＰ（ポリプロピレン）、ＰＳ（ポリスチレン）、ナイロンなどを用いることができる。
【００４３】
図７（ａ）（ｂ）、及び図８（ａ）（ｂ）は、非冷却運転時、すなわち、チルド室用ファン２６の回転が停止し、チルド室用ファン２６によってチルド室１７方向に冷気の流れが生じていない場合であり、閉状態である風量調節手段５０の状態を示している。図９（ａ）（ｂ）、及び図１０（ａ）（ｂ）は、チルド室用ファン２６が回転し、これによってチルド室１７方向に冷気の流れが生じている場合であり、開状態である風量調節手段５０の状態を示している。
【００４４】
フィン５１は僅かな風力でも軸部５１ａを軸として回動可能に構成されている。チルド室用ファン２６が回転している場合には、これにより生じる風力によりフィン５１が開放方向に回動して、風量調節手段５０の窓部５８が開放される。フィン５１の角度はチルド室用ファン２６の単位時間の回転数すなわち回転速度などよって生じる風力の強さによって異なり、風力が強い場合はフィン５１の開度は真下方向を基準にして大きくなる。この場合のチルド室用ファン２６の回転速度を第１の回転速度とする。風力が弱い時はフィン５１の開度は小さい。この場合のチルド室用ファン２６の回転速度を第２の回転速度とする。所定の風力以下では斜め部５７ａに密着し、風量調節手段５０は閉状態となる。この場合のチルド室用ファン２６の回転速度を第３の回転速度とする。上記チルド室用ファン２６の回転速度において、第１の回転速度＞第２の回転速度＞第３の回転速度、の関係が成り立つ。
【００４５】
このように、チルド室用ファン２６により生じる風力の強弱、又はチルド室用ファン２６の回転速度の大小によって風量調節手段５０のフィン５１の開度を調整することが可能であり、開度を調整することにより、風量調節手段５０を通過する冷気の量を制御することができる。すなわち、チルド室用ファン２６は、風量調節手段として機能する。また、チルド室用ファン２６は、風量調節手段５０のフィン５１の開閉角度を調節する開閉角度調節手段として機能する。
【００４６】
また、チルド室用ファン２６により生じる風力の強弱、あるいは、チルド室用ファン２６の回転速度の大小によってフィン５１の角度を調整することが可能であり、角度を調整することにより、風量調節手段５０を通過する冷気の方向を下向きから水平方向までのいずれかに制御することができる。すなわち、チルド室用ファン２６は、風向き制御手段として機能する。例えば、チルド室１７が上下２段のチルド室で構成されている場合に、全体を冷却したい場合はチルド室用ファン２６の回転数を上げて送風量を上げ、これによりフィン５１の角度を上げて全体に向けて送風することができる。また、チルド室１７下段の温度を下げたい場合はチルド室用ファン２６の回転数を下げて送風量を下げ、これによりフィン５１の角度を下げることにより下方に向けて送風することができる。
【００４７】
図９（ａ）（ｂ）、及び図１０（ａ）（ｂ）は例としてフィン５１が真横を指向するほど全開に回動した状態を示している。
フィン５１の軸部５１ａは、図１２（ｂ）に示すように、中央軸部５１ｂにおいて半円形状部５１ｄを有している。フィン５１の縦断面において、羽部５１ｃは、軸部５１ａの外周の接線となるような位置関係で形成されている。フィン５１縦断面において、羽部５１ｃは半円形状部５１ｄの円弧部の外周の接線となるように接して延在しており、半月形状部５１ｄは、当該接した部分に対向する側を弦とする半円形状となっている。
【００４８】
フィン５１は、中央軸部５１ｂにおいて軸部に断面における円の半分を欠損させるように切欠き部を備えており、これにより半月形状部５１ｄとなっている。この形状により、フィン５１自身の重さが小さくなり、よりわずかな風力で回転可能となる。フィン５１が回動すると風量調節手段５０の窓部５８が開放され、風量調節手段５０を冷気が通過可能となる。
【００４９】
また、チルド室用ファン２６による風力でフィン５１は最大で真横となるまで回動可能であり、フィン５１はチルド室用ファン２６の風力が強い場合は、図１２（ｄ）に示すように、真横となるほど回動する。この時、半円形状部５１ｄは下部が弦、上部が弧となり、図において左右方向に流れる冷気の流れに対して抵抗が最少となるような姿勢となる。これにより、チルド室用ファン２６により生じた風力の無駄を削減でき、風量調節手段５０を通過する冷気の流れの抵抗を極力小さくすることができ、これにより、チルド室１７を効率的に冷却することが可能となる。
【００５０】
また、この時、半月形状部５１ｄの上部の円弧部は、リブ５６仮面との間に所定の隙間がある程度で、ぎりぎり接触しない程度の間隔を有している。半月形状部５１ｄの上部の円周部は、フィン５１の閉状態から開状態にかけて、リブ５６下面に対して所定の間隔を保持したまま回動するため、フィン５１は、半月形状部５１ｄ−リブ５６間の隙間を最少に保持して回動することが可能である。従って、半月形状部５１ｄ−リブ５６間から冷気が漏れ出すことを抑制することができる。
【００５１】
また、フィン５１はチルド室用ファン２６によって生成する風力により回動して、風量調節手段５０の開閉を制御する。すなわち、風量調節手段５０はモータなどの駆動力を用いずに風量調節手段５０の開閉を制御することができる。また、当該風力の強弱によりフィン５１の傾く角度が異なる。従って、窓部５８を通過する冷気の向きを、チルド室用ファン２６が生成する風力により制御することができる。すなわち、当該風力が弱い場合は下方向に、風力が強い場合は真横方向に向けることができる。
【００５２】
以上に説明した第１の実施形態に係る冷蔵庫１によれば以下の作用効果を奏する。
上記に示した冷蔵庫１の風量調節手段５０の構成により、比較的簡単な構造により、チルド室１７への風量調整を行うことが可能となる。また、風量調節手段５０としてのシャッタ機構の開閉に、動力を用いない構成を採用した。これにより、消費電力の削減、及び運転コストを抑えることが可能となる。また、チルド室用ファン２６の回転数を調整することによってフィン５１に当てる風力を調整することができ、これによりフィン５１の角度を調整することができる。従って、動力を用いない構成を用いながら、送風方向を調整することができる。
【００５３】
また、チルド室用ファン２６を風量調節手段５０の下流側に配置した場合には、フィン５１の角度によらず冷気の流れを前方に向けることが可能となる。また、風量調節手段５０の閉鎖時に、フィン５１の中央軸部５１ｂとベース５４との間隔を最少に保持できるため、冷気の漏れを抑制することができる。また、中央軸部５１ｂを断面において半円形状としたため、チルド室用ファン２６により送風の妨げとなることを抑制することができる。
【００５４】
また、チルド室用ファン２６が停止し、風量調節手段５０が閉鎖された際、すなわち非冷却運転時には、フィン５１は、傾斜して構成された窓部５８の斜め部５７ａに、その自重よって載置される蓋をするようになる。その場合、冷蔵室用冷却ファン１２の運転により、フィン５１が窓部５８に密着するように構成される。このため、例えば除湿時や潤い運転時の比較的温度が高い冷気がチルド室１７に流入することを抑制することができる。また、フィン５１と窓部５８との隙間を小さく抑えることができるため、チルド室１７内の比較的温度が低い冷気の流出を抑制することができる。
【００５５】
以上の構成により、非冷却運転時に、モータ等の動力を用いない方法でチルド室への冷気の流入を抑制し、温度変動を小さくすることで食品保存性能が優れたチルド室を備えた冷蔵庫を提供することができる。
【００５６】
このように、風量調節手段５０のフィン５１の開閉機構は、いわゆるチャッキダンパに近似する構成を備えている。このような逆流防止の作用を奏するフィン５１が自重で閉じることで開閉する風量調節手段５０の構成は、風路であるダクト内に設けられていてもよいし、冷気の流れが分岐する場所、又は、容器１７ｃのような引き出し容器などの容器壁に設けられていてもよい。
【００５７】
また、風量調節手段５０が、チルド室用ファン２６の上流側に配置される場合には、チルド室用ファン２６の送風によってフィン５１を負圧によって引き込むことにより回動させることで風量調節手段５０を開放することができる。
【００５８】
（第２実施形態）
図１３は、第２実施形態に係る風量調節手段５０に適用した異なる構造のフィン５１１の構成を示す図であり、図１２（ａ）に相当する図、すなわちフィン５１１の側面図である。フィン５１１は円形状の軸部５１１ａを有し、この場合は、フィン５１１の回動を妨げる位置にリブ５６及びリブ側面５７が設けられておらず、フィン５１１にあたる風向きにより、図において左右いずれの方向にも回動自在に設けられている。
【００５９】
軸部５１１ａの外周とリブ５６下面との間は僅かな所定の隙間がある程度で、ぎりぎり接触しない程度の間隔を有している。軸部５１１ａの中心からリブ５６下面までの距離は一定であり、フィン５１１が回動しても、リブ５６下面と軸部５１１ａ表面の間に大きな隙間が生じることがない。従って、軸部５１１ａ−リブ５６間から冷気が漏れ出ることを抑制することができる。
【００６０】
また、フィン５１１によれば、左右どちらにも回動可能であるため、冷気を左右どちらにも移動させることが可能である。すなわち、チルド室用ファン２６の正回転でフィン５１１が左側に回動されることにより風量調節手段５０が開放され、チルド室用ファン２６の逆回転でフィン５１１が右側に回動されることにより風量調節手段５０は開放される。なお、冷蔵室用冷却ファン１２を運転させることにより、チルド室１７内の空気を冷蔵室３に送ってもよい。
【００６１】
また、フィン５１１の先端部５１１ｅと、下に位置するリブ５６の上面との間は所定の隙間がある程度で、ぎりぎり接触しない程度の間隔を有している。チルド室用ファン２６が回転しておらず、冷気の流れが生じていない場合は、フィン５１１は真下を向いており、軸部５１１ａと上に位置するリブ５６の下面との間、及び、先端部５１１ｅと下に位置するリブ５６の上面との間隔は非常に狭く、これにより冷気の移動を抑制している。また、フィン５１１には自重があるため、自重による抵抗によって、冷気の移動を抑制している。また、フィン５１１によれば、モータ等の駆動力を用いることなく、冷気の移動を抑制可能である。
【００６２】
第２実施形態に係る風量調節手段５０によれば、第１実施形態と同様の効果を有する。フィン５１１はチルド室用ファン２６等によって生じた冷気の流れによる冷気の流れに応じて回動し、チルド室用ファン２６の回転方向により、チルド室用ファン２６に対して近接する方向、離間する方向の何れの方向にも冷気を移動させることができる。また、フィン５１１は自重によって真下を指向するため、チルド室用ファン２６が駆動されていない場合は、フィン５１１と窓部５８、リブ５６、及びベース５４によって冷気の流れを略遮断し、若しくは冷気の流れの抵抗となり、いずれの方向の冷風の流れに対しても冷気の移動を抑制可能である。しかも、これらの作用を、モータ等の駆動力を用いることなく、チルド室用ファン２６により生成される風力を利用することにより行うことができる。
【００６３】
（第３実施形態）
次に、第３実施形態について図を用いて説明する。以下の説明において、冷蔵庫１の扉側を前側又は前面側などとし、その反対方向を後側、背面側、又は奥側などとする。図中の矢印は空気（冷気）が流れる経路を模式的に示すものであり、破線で示す矢印はケース６０ｂ内を流れる冷気を表し、実線で示す矢印はケース６０ｂ外を流れる冷気を表している。以下の説明において、第１実施形態及び第２実施形態と実質的に同一の構成部位には同一の符号を付し、説明を省略する。
【００６４】
図１４は第３実施形態が適用される冷蔵庫１の正面図である。第１実施形態及び第２実施形態と異なる点は、上部冷凍室６が温度可変室６０となっている点であり、図１４は本実施形態が温度可変室６０に適用された例を示している。本実施形態において、前方が開口した直方体形状の温度可変室６０は、温度可変室６０の開口部を開閉する扉６０ａを備えている。
【００６５】
図１５及び図１６は、第３実施形態に係る温度可変室６０の構成を示す図であり、図１５（ａ）及び図１６（ａ）は上方からの模式図、図１５（ｂ）及び図１６（ｂ）は温度可変室６０奥側の通風口６４ａを正面から臨む模式図、図１５（ｃ）は図１５（ａ）のＫ−Ｋ線における温度可変室６０の側断面図である。図１６（ｃ）は図１６（ａ）のＬ−Ｌ線における温度可変室６０の側断面図である。また図１５は温度可変室６０を冷凍室以外の用途として使用した場合を示す図であり、図１６は温度可変室６０を冷凍室として使用する場合を示す図である。なお、図１５及び図１６において、ケース６０ｂ内の冷気の流れは破線の矢印で、ケース６０ｂ外の冷気の流れは実線の矢印にて模式的に示されている。
【００６６】
図１７は、温度可変室６０に収納されるケース６０ｂの構成を示す図であり、（ａ）はケース６０ｂを温度可変室６０に収納した状態、（ｂ）はケース６０ｂを温度可変室６０から引き出した状態を示す。図１７（ｃ）はケース６０ｂの正面図である。なお、図１５から図１７において、扉６０ａ以外の扉の図示は省略している。
【００６７】
図１５、図１６に示すように、食品を貯蔵する貯蔵室である温度可変室６０の後側には冷却器室６９が設けられ、その中には冷却器６８が配置されている。冷却器６８によって生成された冷気は、ファン６６によって冷却器６８上方に設けられたダクト６５に送られる。右ダンパ６２及び左ダンパ６４は温度可変室６０に連通している。右ダンパ６２と温度可変室６０の間であって、ケース６０ｂの後側壁６０ｆには、ファン６６により送風された空気を導入する入口である通風口６２ａが設けられている。左ダンパ６４と温度可変室６０の間には通風口６４ａが設けられている。右ダンパ６２及び左ダンパ６４の開閉制御により、通風口６２ａ及び通風口６４ａへの通風を制御することができる。
【００６８】
温度可変室６０内には食品を貯蔵する貯蔵容器であるケース６０ｂが挿抜可能に設けられており、ケース６０ｂは扉６０ａに設けられた図示しないケース枠に脱着可能に載置されている。ケース６０ｂの上部には、温度可変室６０上壁に固定され、ケース６０ｂの挿入時に上部を覆う蓋となる蓋部６０ｃが設けられている。蓋部６０ｃは、図１５（ｃ）に示すように、通風口６２ａに対向する部分が前方に向かって斜め上方向に傾斜し、通風口６２ａから導入された冷気を上方からケース６０ｂ外周に導くように構成されている。
【００６９】
また、蓋部６０ｃは、図１６（ｃ）に示すように、通風口６４ａに対向する部分に開口６０ｄが設けられており、通風口６４ａから導入された冷気をケース６０ｂ内に導入可能に構成されている。図１７に示すように、蓋部６０ｃは温度可変室６０の天井部に固定されており、ケース６０ｂの挿入により、ケース６０ｂ上面に装着され、ケース６０ｂ内を概ね密閉するように構成されている。
【００７０】
ケース６０ｂの前側壁６０ｅには風量調節手段８０が設けられている。前側壁６０ｅは後側壁６０ｆとは異なる壁部である。風量調節手段８０はケース６０ｂの前側壁６０ｅの上方に位置して備えられており、ファン６６とは離間した位置に配置されている。風量調節手段８０は、ケース６０ｂを正面方向から見て例えば左右に並列して設けられている。風量調節手段８０は、ケース６０ｂに設けられた開口部に設けられている。
【００７１】
風量調節手段８０と扉６０ａの間には間隙が設けられており、風量調節手段８０からケース６０ｂの外部に流出する冷気の妨げとならないようになっている。風量調節手段８０は第１実施形態及び第２実施形態におけるフィン５１と同様に、わずかな風力でも開閉が可能なフィン８１により構成されている。風量調節手段８０はファン６６による送風の風力で開状態となり、ファン６６の送風停止により閉状態となるように構成されている。
【００７２】
ここで、フィン８１の材料としては、例えば、ＡＢＳ（アクリロニトリル・ブタジエン・スチレン樹脂）、ＰＰ（ポリプロピレン）、ＰＳ（ポリスチレン）、ナイロンなどが用いられ、その薄さは例えば０．２ｍｍ程度の薄さで形成されている。このように、フィン８１が薄く構成されることにより、ファン６６によってケース６０ｂ内にもたらされる風圧で開閉可能とすることができる。風量調節手段８０の構成については後述する。
【００７３】
右ダンパ６２及び左ダンパ６４は、風量調節手段８０からみて、ファン６６によって作り出される冷気の流れの上流側に配置されている。また、通風口６２ａ及び通風口６４ａは、風量調節手段８０に対向する位置からずれて配置されている。温度可変室６０内に導入される冷気の拡散が促進され、冷気の単なる通り抜けを抑制できるため、温度可変室６０の温度制御性が向上する。
【００７４】
温度可変室６０を冷凍室以外の冷蔵室として使用する場合には、図１５に示すように、右ダンパ６２を開いて左ダンパ６４を閉じた状態とする。この場合、冷気は通風口６２ａを通り、ケース６０ｂ上方の蓋部６０ｃの上方に導かれ、ケース６０ｂの外側に導入される。これにより、ケース６０ｂ内を外側から冷却する。導入された冷気は温度可変室６０とケース６０ｂの間を通って後方のダクト６７に導入され、再度冷却器６８により冷却されてダクト６５に戻る。以後この循環を繰り返す。これにより、温度可変室６０のケース６０ｂ内は外側から冷却されるため、温度があまり下がることがない。このため、温度可変室６０を、比較的高温な、例えば、冷蔵室、チルド室、パーシャル室等の用途に用いることができる。この時、ケース６０ｂ内には冷気が導入されないため風力は生じておらず、風量調節手段８０は閉状態となっている。これにより、ケース６０ｂ内の空気が漏れ出すことが抑制されるため、ケース６０ｂ内の温度が安定する。
【００７５】
温度可変室６０を冷凍室として使用する場合には、図１６に示すように、右ダンパ６２及び左ダンパ６４を開いた状態とする。この場合、冷気は通風口６２ａに導かれるルートと、通風口６４ａに導かれるルートに分かれる。通風口６２ａに導かれるルートでは、冷気は上記の温度可変室６０を冷凍室以外の冷蔵室として使用する場合と同様のルートを通る。
【００７６】
通風口６４ａに導かれるルートでは、冷気は通風口６４ａを通り、蓋部６０ｃの下方に導かれてケース６０ｂ内に導入され、ケース６０ｂ内を冷却する。ケース６０ｂ内に導入された冷気はその後、ケース６０ｂの前側壁６０ｅに設けられた風量調節手段８０から排出される。冷気は、温度可変室６０とケース６０ｂの間を通じて後方に設けられた開口６７ａからダクト６７に通じ、再度冷却器６８により冷却されてダクト６５に戻る。以後この循環を繰り返す。
【００７７】
これにより、温度可変室６０のケース６０ｂを内部から冷却することが可能となり、ケース６０ｂを冷凍室として用いることができる。この時、ケース６０ｂ内に導入された冷気によって風力が生じ、この風力に応じた分だけ風量調節手段８０が開状態となっている。これにより、ケース６０ｂ内の冷気の交換が促進され、ケース６０ｂ内の温度を効率的に低下させることができる。また、冷却器６８、ダクト６５、左ダンパ６４、右ダンパ６２、通風口６２ａ、通風口６４ａ、ケース６０ｂ、ケース６０ｂの外周、開口６７ａ、及びダクト６７は循環風路を構成する。
【００７８】
図１８及び図１９は、風量調節手段８０の概略構成を示す図である。図１８（ａ）は、風量調節手段５０の上面図、図１８（ｂ）は正面図、図１９（ａ）は、図１８（ｂ）の矢印Ｐから風量調節手段５０を臨む側面図、図１９（ｂ）は図１８（ｂ）のＭ−Ｍ線に沿った部分の縦断面矢視図である。図２０（ａ）から（ｃ）は、フィン８１の概略構成を示す図であり、図２０（ａ）はフィン８１の上面図、（ｂ）は正面図、（ｃ）は（ｂ）のＮ−Ｎ線における縦断面図であり、これにリブ８６を追加した図である。
【００７９】
以下、第１実施形態及び第２実施形態と異なる部分について説明する。第３実施形態においては、風量調節手段８０は、フィン８１の枚数が異なっている。第３実施形態では、３枚のフィン８１を用いて風量調節手段８０を構成した例を示している。窓部８８はリブ８６すなわち、上側リブ８６ａ、下側リブ８６ｂ、及び側面リブ８７によって構成されている。すなわち窓部８８の開口の全周囲にリブ８６が設けられている。冷気の流れがない場合は、フィン８１はその自重により、羽部５１ｃが上側リブ８６ａ、下側リブ８６ｂ及び側面リブ８７に接することで窓部８８を閉状態としている。窓部８８の開口の全周囲にリブ８６を設けたことで、フィン８１によって窓部８８を確実に閉じることができる。
【００８０】
図２０（ａ）から（ｃ）に示すように、第３実施形態においては、フィン８１の中央軸部８１ｂの形状について、その断面が扇形形状となっている。中央軸部８１ｂは断面形状において、２本の辺部８１ｆ、辺部８１ｇにより形成される中心角の頂点８１ｄ、及び辺部８１ｆと８１ｇの先端部をつなぐ円弧部８１ｅを備えている。図２０（ｃ）において扇形の中心角はおよそ９０度をなしている例を示しているが、この角度に限定されない。
【００８１】
フィン８１がベース５４に設置された状態において、中央軸部８１ｂは、上側リブ８６ａ及び下側リブ８６ｂにより挟まれた状態で配置されている。上側リブ８６ａはフィン８１の上方に配置されており、下側リブ８６ｂはフィン８１の下方に配置されている。中央軸部８１ｂの断面における扇形の中心角をなす頂点８１ｄの位置はフィン８１の回動軸すなわち軸部５１ａの中心の位置である。頂点８１ｄは、上側リブ８６ａの上面位置に配置される。この構成によれば、頂点８１ｄの位置は中央軸部８１ｂの中心の位置とされるため、フィン８１の回動により頂点８１ｄの位置は変化せず、上側リブ８６ａの上面位置を保持する。また、第１実施形態、第２実施形態に比較して風量調節手段８０のサイズをコンパクトにできる。
【００８２】
また、円弧部８１ｅは、上側リブ８６ａの下面との間に、ある程度の気密性を保持しうるわずかな隙間ができる程度に位置決めされている。辺部８１ｆ、８１ｇは断面扇形の半径を構成するため、フィン８１の回動によって、下側リブ８６ｂの下面と円弧部８１ｅとの隙間の大きさは変化しない。すなわち、上側リブ８６ａと下側リブ８６ｂとの距離は略辺部８１ｆ、８１ｇの長さ、すなわち中央軸部８１ｂの断面扇形の半径の長さに設定されている。辺部８１ｆ、８１ｇの長さは軸部５１ａの断面である円形の半径の長さでもある。
【００８３】
この構成により、温度可変室６０のケース６０ｂ内に冷気を導入して冷却する方式すなわちケース６０ｂを冷凍室として使用する形態と、ケース６０ｂの外方に冷気を導入して外側から冷却する方式すなわちケース６０ｂを比較的高温な用途、例えば、冷蔵室、チルド室、パーシャル室等の用途に用いる形態とを、動力源を用いることなく比較的容易な構造で実現できる。また、風量調節手段８０をケース６０ｂの前側壁６０ｅの上方に配置したため、ケース６０ｂ内に貯蔵物が存在している場合にあっても冷気が循環する風路を確保することができる。
【００８４】
また、窓部８８の開口の全周囲にリブ８６が設けられているため、ケース６０ｂ内に冷気の流れがない場合に、フィン８１が窓部８８を構成するリブ８６に接するようにして密着できる。このため、確実に窓部８８を閉状態とすることができる。また、中央軸部８１ｂにおいても、フィン８１の回動状態によらず、中央軸部８１ｂとリブ８６との隙間を極力小さく保持した状態とすることができるため、中央軸部８１ｂとリブ８６との間から冷気が漏れることがなく、効率的に窓部８８を閉状態とすることができる。これにより、ケース６０ｂ内の温度管理をより正確に行うことが可能となる。
【００８５】
また、軸部８１ａ及び中央軸部８１ｂが配置される箇所のリブ８６の後方すなわちファン６６による送風の上流側に向かって突起するように尖る突起部９０が設けられている。これにより、前後方向に流れる冷気の流れに対する抵抗を低減すること、すなわち送風抵抗を抑制することができる。従って、冷気の流れが弱められることが抑制されるため、フィン８１の回動が妨げられることがなく、効率的に冷気の排気がなされる。これにより、ケース６０ｂ内の冷却効率を向上させることができる。
【００８６】
（第４実施形態）
次に第４実施形態について説明する。第４実施形態は、第３実施形態の変形例である。以下、第３実施形態と異なる部分のみ説明する。図２１は第４実施形態に係る冷蔵庫１を示す図であり、図２１（ａ）は図１６（ａ）のＬ−Ｌ線における温度可変室の側断面図に相当する図、図２１（ｂ）は図２１（ａ）の矢印Ｒ方向すなわち正面方向から見た正面図であり、わかりやすくするため、扉６０ａを透視してケース６０ｂを示している。なお、図２１において、扉６０ａ以外の扉の図示は省略している。第４実施形態においては、風量調節手段８０が扉６０ａに、扉６０ａ背面に固定された保持部９８によって保持されている。ケース６０ｂの前面には風量調節手段８０に対応する位置に開口部が設けられている。この構成により第４実施形態と同様の効果を奏する。また、ケース６０ｂは扉６０ａと脱着可能に構成されているため、風量調節手段８０とも脱着可能である。これにより、ケース６０ｂの清掃が容易となる。
【００８７】
（第５実施形態）
次に第５実施形態について説明する。第５実施形態は、第３実施形態の変形例である。以下、第３実施形態と異なる部分のみ説明する。図２２は第５実施形態に係る冷蔵庫１を示す図であり、図２２（ａ）は図１５（ｃ）相当図、図２２（ｂ）は図１６（ｃ）相当図である。第３実施形態においては、ケース６０ｂの前面部に左右に配置して右ダンパ６２及び左ダンパ６４が配置されていたが、第５実施形態においては、上下に配置された上ダンパ９２及び下ダンパ９４により循環風路の切り換えがなされる構成である。なお、図２２において、扉６０ａ以外の扉の図示は省略している。
【００８８】
温度可変室６０を冷凍室以外の冷蔵室として使用する場合には、図２２（ａ）に示すように、下ダンパ９４を開いて上ダンパ９２を閉じた状態とする。この場合、冷気はケース６０ｂ後方で中央高さ付近に配置された通風口９４ａを通り、ケース６０ｂ後方から前方に向けて、ケース６０ｂ側面を通過し、ケース６０ｂを外側から冷却する。導入された冷気は採取的には後方の開口６７ａからダクト６７に導入され、再度冷却器６８により冷却されてダクト６５に戻る。以後この循環を繰り返す。
【００８９】
温度可変室６０を冷凍室として使用する場合には、図２２（ｂ）に示すように、上ダンパ９２及び下ダンパ９４を開いた状態とする。この場合、冷気は通風口９２ａに導かれるルートと、通風口９４ａに導かれるルートに分かれる。通風口９４ａに導かれるルートでは、冷気は上記の温度可変室６０を冷凍室以外の冷蔵室として使用する場合と同様のルートを通る。
【００９０】
通風口９２ａに導かれるルートでは、冷気は通風口９２ａを通り、蓋部６０ｃの下方に導かれてケース６０ｂ内に導入され、ケース６０ｂ内を冷却する。ケース６０ｂ内に導入された冷気はその後、ケース６０ｂの前側壁６０ｅに設けられた風量調節手段８０から排出される。冷気は、温度可変室６０とケース６０ｂの間を通じて後方に設けられた開口６７ａからダクト６７に通じ、再度冷却器６８により冷却されてダクト６５に戻る。以後この循環を繰り返す。この構成により、第３実施形態と同様の効果を奏する。
【００９１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９２】
図面中、１は冷蔵庫、３は冷蔵室（貯蔵室、室部、第２の室部）、４は野菜室（貯蔵室、室部、第２の室部）、１２は冷蔵室用冷却ファン（第２のファン）、１７はチルド室（第１の室部）、１１は冷蔵用冷却器、１１ａは冷却器室、２６はチルド室用ファン（第１のファン）、５０、８０は風量調節手段（シャッタ機構、開閉機構）、５１、８１はフィン、５１ａは軸部、５１ｂ、８１ｂは中央軸部、５１ｃは羽部、５８は窓部（窓枠）、６０は温度可変室（貯蔵室）、６０ｂはケース（貯蔵容器）、６０ｅは前側壁（第１壁）、６０ｆは後側壁（第２壁）を示す。
【図１】
2017138087.tif 000003
【図２】
2017138087.tif 000004
【図３】
2017138087.tif 000005
【図４】
2017138087.tif 000006
【図５】
2017138087.tif 000007
【図６】
2017138087.tif 000008
【図７】
2017138087.tif 000009
【図８】
2017138087.tif 000010
【図９】
2017138087.tif 000011
【図１０】
2017138087.tif 000012
【図１１】
2017138087.tif 000013
【図１２】
2017138087.tif 000014
【図１３】
2017138087.tif 000015
【図１４】
2017138087.tif 000016
【図１５】
2017138087.tif 000017
【図１６】
2017138087.tif 000018
【図１７】
2017138087.tif 000019
【図１８】
2017138087.tif 000020
【図１９】
2017138087.tif 000021
【図２０】
2017138087.tif 000022
【図２１】
2017138087.tif 000023
【図２２】
2017138087.tif 000024